(57)【要約】    【課題】  種類の異なる発光表示手段に共通に使用できると共に、部品点数を必要最小限に削減できるようにする。    【解決手段】  表示部２０が設けられた表示パネル２１と、表示パネル２１の裏側に配置され且つ内部が発光室２４となったハウジング２３と、ハウジング２３内に配置され且つ発光室２４を介して表示パネル２１に光を照射して表示部２０を発光させる発光素子２５とを備え、ハウジング２３内を複数個に区画する仕切り板２２を、その両端の破壊部３５を破壊することによりハウジング２３から除去可能に設け、必要に応じて仕切り板２２を除去する。【選択図】  図３
2010063703.tif 000002
【特許請求の範囲】
【請求項１】
表示部（２０）が設けられた表示パネル（２１）と、該表示パネル（２１）の裏側に配置され且つ内部が発光室（２４）となったハウジング（２３）と、該ハウジング（２３）の内部又は後側に配置され且つ前記発光室（２４）を介して前記表示パネル（２１）に光を照射して前記表示部（２０）を発光させる発光素子（２５）とを備えた遊技機において、前記ハウジング（２３）内の前記発光室（２４）の構成を変更可能な仕切り板（２２）を前記ハウジング（２３）に一体に備えたことを特徴とする遊技機。
【請求項２】
前記仕切り板（２２）は前記ハウジング（２３）内を複数個に区画し且つその破壊部（３５）を破壊することにより該ハウジング（２３）から除去可能であることを特徴とする請求項１に記載の遊技機。
【請求項３】
前記ハウジング（２３）は相対向する一対の壁部（３３）を備え、前記仕切り板（２２）の両側の前記破壊部（３５）を介して前記各壁部（３３）に接続したことを特徴とする請求項２に記載の遊技機。
【請求項４】
前記破壊部（３５）が薄肉状であることを特徴とする請求項２又は３に記載の遊技機。
【請求項５】
前記仕切り板（２２）を所定間隔をおいて複数個配置したことを特徴とする請求項１〜４の何れかに記載の遊技機。
【請求項６】
複数個の前記仕切り板（２２）を交差方向に配置し、該仕切り板（２２）をその交差側端部の前記破壊部（３５）の厚さよりも太い連結部（４４）を介して連結したことを特徴とする請求項２〜４の何れかに記載の遊技機。
【請求項７】
前記表示部（２０）の近傍に前記ハウジング（２３）内へと裏側に突出する付属部品（７）を備え、前記ハウジング（２３）の前記付属部品（７）に対応する前記仕切り板（２２）を除去して前記ハウジング（２３）内に付属部品収容室（５０）を形成したことを特徴とする請求項１〜６の何れかに記載の遊技機。
【発明の詳細な説明】
【技術分野】
【０００１】
本発明は、パチンコ機、スロットマシン等の遊技機、取り分けその発光表示手段のハウジング側の構造に関するものである。
【背景技術】
【０００２】
スロットマシン等の遊技機では、遊技機本体の前面側に複数個の発光表示手段を配置し、その発光表示手段の表示部の発光によりその時点の遊技状態を遊技者に対して報知し又は演出するようになっている。この発光表示手段は、複数個の表示部が設けられた表示パネルと、この表示パネルの裏側に配置され且つ内部が仕切り板により各表示部に対応する複数個の発光室に区画されたハウジングと、このハウジング内に配置され且つ発光室を介して表示パネルに裏側から光を照射して各表示部を発光させる複数個の発光素子とを備えている。
【０００３】
このような発光表示手段は、異なる機種相互間では機種によっても表示パネルの表示部の下部、配列等が異なるのは勿論のこと、同一機種の遊技機でもその配置位置、表示対象、表示目的が異なる場合には、表示パネルの表示部の数、配列等が異なったものとなっている。しかし、表示部の数、配列等が異なる毎に夫々別部品を用いて発光表示手段を製作すれば、部品の種類数が非常に多くなって遊技機全体の製作コストが高くなる。
【０００４】
そこで、従来から表示パネルの表示部の数、配列が異なる発光表示手段でも、表示部の数、配列に応じてハウジング内の仕切り板の配置を変更可能にして、ハウジングの共通化を図り製作コストを低減する方策が講じられている（特許文献１、２）。
【０００５】
この従来の発光表示手段は、例えばハウジングの相対向する一対の側壁部の内面に仕切り板用の差込み溝を相対応して多数設けておき、表示部の数、配列に合わせてその多数の差込み溝の何れかに仕切り板を選択的に挿入して、ハウジング内を表示部の数、配列に対応する発光室に仕切るようにしている。
【特許文献１】実開昭６０−２３６８８号公報
【特許文献２】特開２００５−１６８６８５号公報
【発明の開示】
【発明が解決しようとする課題】
【０００６】
従来の発光表示手段は、側壁部に多数の差込み溝が形成されたハウジングと、その差込み溝に挿入される仕切り板とが必要であるため、依然として部品点数が増加するという問題がある。特にハウジング内を上下方向及び左右方向に複数個の発光室に区切る場合には、Ｔ字状又は十字状の仕切り板を使用したり、一方の仕切り板の長手方向の中間の片面又は両面に差込み溝を形成し、その差込み溝に他方の仕切り板の端縁側を差し込んで使用したりしている。このためハウジング内の発光室の配置によっては、その仕切り板の種類数も非常に多くなるという問題がある。
【０００７】
本発明は、このような従来の問題点に鑑み、種類の異なる発光表示手段に共通に使用できると共に、部品点数を必要最小限に削減できる遊技機を提供することを目的とする。
【課題を解決するための手段】
【０００８】
本発明は、表示部２０が設けられた表示パネル２１と、該表示パネル２１の裏側に配置され且つ内部が発光室２４となったハウジング２３と、該ハウジング２３の内部又は後側に配置され且つ前記発光室２４を介して前記表示パネル２１に光を照射して前記表示部２０を発光させる発光素子２５とを備えた遊技機において、前記ハウジング２３内の前記発光室２４の構成を変更可能な仕切り板２２を前記ハウジング２３に一体に備えたものである。
【発明の効果】
【０００９】
本発明によれば、ハウジング２３内の発光室２４の構成を変更可能な仕切り板２２をハウジング２３に一体に備えているので、ハウジング２３を種類の異なる発光表示手段に共通に使用でき、部品点数を必要最小限に削減できる利点がある。
【発明を実施するための最良の形態】
【００１０】
以下、本発明の各実施例を図面に基づいて詳述する。図１〜図９は本発明をスロットマシンに具現化した第１の実施例を例示する。スロットマシン１は、裏閉塞型の筐体２と、この筐体２の前側に開閉自在に配置された矩形状の前面パネル３とを備え、これらにより遊技機本体が構成されている。
【００１１】
筐体２は前側が開放する箱形であって、この筐体２の前側を閉鎖するように、前面パネル３がヒンジ手段（図示省略）を介して開閉自在に枢着されている。なお、筐体２内には回転リールユニット４、メダル貯留タンク（図示省略）、メダル払い出し手段（図示省略）等が設けられている。
【００１２】
前面パネル３の前側上部には第１表示窓５と第２表示窓６とが上下に配置され、また第１表示窓５の左右両側にスピーカ７が配置され、第２表示窓６の左右両側に第１発光表示手段８と第２発光表示手段９とが縦長状に配置されている。
【００１３】
第１表示窓５は前面パネル３の裏側に装着された液晶式等の画像表示手段（図示省略）に対応して形成され、遊技者はこの第１表示窓５を介して画像表示手段に表示される演出画像を前側から視認可能である。
【００１４】
第２表示窓６は筐体２側の回転リールユニット４の前側に対応して矩形状に形成され、遊技者はこの第２表示窓６を介して回転リールユニット４の回転リール１０上に表示された遊技図柄を前側から視認可能である。なお、回転リール１０は左右方向に３個配置されている。
【００１５】
前面パネル３の前側下部には、払い出されたメダル等を受ける受け皿１１が横長状に配置されている。また前面パネル３の前面の上下略中央部には、第２表示窓６の下側に沿って操作パネル部１２が設けられ、この操作パネル部１２にメダルを投入可能なメダル投入口１３、メダル投入口１３内に詰まったメダルを返却させるための返却ボタン１４、メダル投入口１３へのメダルの投入に代えてクレジットからメダルをベットするための１ベットボタン１５及びマックスベットボタン１６、ベットをキャンセルするためのキャンセルボタン１７、回転リール１０の回転を開始させるためのスタートレバー１８、回転中の回転リール１０を個別に停止させるためのストップボタン１９等が設けられている。
【００１６】
第１発光表示手段８、第２発光表示手段９はゲーム中に所定の遊技状態が発生した場合に、点滅発光等によりその遊技状態を遊技者に対して視覚的に演出するためのものである。なお、ゲーム中の所定の遊技情報を遊技者に対して発光表示するものでもよい。
【００１７】
この各発光表示手段８，９は、図２に第２発光表示手段９側を例示するように、前面に配置され且つ複数個の表示部２０を有する表示パネル２１と、この表示パネル２１の裏側に配置され且つ内部が仕切り板２２により各表示部２０に対応する発光室２４に区画されたハウジング２３と、このハウジング２３内に配置され且つ発光室２４を介して表示パネル２１に裏側から光を照射して各表示部２０を発光させる複数個の発光素子２５とを備えている。
【００１８】
なお、各発光素子２５は発光ダイオード等からなり、ハウジング２３内に固定された発光基板２６の前面に装着されている。１個の表示部２０に対応する１個の発光素子２５は、複数個の発光ダイオード等により構成してもよい。
【００１９】
ハウジング２３は、図４〜図７に示すように、その内部を複数個の発光室（区画室）２４に区画する複数個の仕切り板２２を一体に備え、その仕切り板２２の何れかを除去することにより、各発光表示手段８，９の表示パネル２１の表示部２０の数、配列に応じて発光室２４を形成できるようになっている。即ち、ハウジング２３は合成樹脂製であって、予め両発光表示手段８，９の表示パネル２１の表示部２０の数、配列を考慮して仕切り板２２の位置、数等が設計されており、発光室２４の構成が異なる両発光表示手段８，９に共通の部品となっている。
【００２０】
表示パネル２１はパネル枠２８に前側から装着されたカバー２９と、このカバー２９の裏側に配置された遮光パネル３０とを備え、その遮光パネル３０に各表示部２０に対応して複数個の表示孔３１が形成され、各発光素子２５からの光が遮光パネル３０の表示孔３１を通過してカバー２９の裏面側に照射されることにより各表示部２０が発光するようになっている。
【００２１】
カバー２９は光透過性を有する合成樹脂製であって、その裏面側の略全面に乱反射面３２が形成され、その乱反射面３２によりカバー２９の裏側のハウジング２３等を透視し難くすると共に、発光素子２５からの光が照射したときに表示部２０が発光するようになっている。なお、乱反射面３２は細かい縦溝、横溝又は縦横溝等により形成されている。
【００２２】
第１発光表示手段８の表示パネル２１には、図３に示すように例えば上下方向に３個の表示部２０が設けられており、その裏側のハウジング２３には各表示部２０に対応して上下方向に３個の発光室２４と、３個の発光素子２５とが設けられている。また第２発光表示手段９の表示パネル２１には、図４に示すように例えば上下方向に６個の表示部２０が設けられており、その裏側のハウジング２３には各表示部２０に対応して上下方向に６個の発光室２４と６個の発光素子２５とが設けられている。
【００２３】
なお、各発光表示手段８，９の表示部２０の数、配列は、ハウジング２３の共通化を示す上での単なる例示に過ぎず、各発光表示手段８，９の表示部２０の数、配列を同じにして、複数種類のスロットマシン相互間でそのハウジング２３を共通部品として使用する場合もある。
【００２４】
各発光表示手段８，９の共通部品であるハウジング２３は、図４〜図７に示すように前後両側が開口する上下方向に長い縦長矩形状であって、左右一対の長側壁部３３と上下一対の短側壁部３４とを一体に備えている。なお、ハウジング２３の後端側の外周等の適当箇所に取り付け部３３ａが設けられ、その取り付け部３３ａがネジ等の固定手段によりパネル枠２８の取り付け部２８ａに着脱自在に固定されている。
【００２５】
ハウジング２３は例えば最大６個の区画室（発光室２４）を前提にしたものであり、その内部に左右の長側壁部３３を連結する仕切り板２２が略平行に上下方向に５個設けられ、この各仕切り板２２により６個の区画室に区画されている。各仕切り板２２の両端は左右の長側壁部３３の近傍に形成された帯状の破壊部３５を介して各長側壁部３３に連結されている。
【００２６】
各破壊部３５は仕切り板２２の板厚に比較して薄い薄肉板状に構成されており、鋏、カッター等の刃物により切り取るか、またペンチその他の掴み工具でその近傍の仕切り板２２を掴んで折り取る等により破壊することによって、ハウジング２３から容易に取り外し可能になっている。
【００２７】
なお、複数箇所の仕切り板２２を除去する場合には、その除去対象の仕切り板２２の破壊部３５に対応する複数個の固定刃と可動刃とを上下に備えた切断機等を使用して、その固定刃と可動刃とによって破壊部３５を切断することにより、各仕切り板２２を一括して除去することも可能である。
【００２８】
各仕切り板２２の前端はハウジング２３の各側壁部３３，３４の前端と略同一であり、この仕切り板２２の後端はハウジング２３の各側壁部３３，３４の後端よりも前側にあり、両者間には仕切り板２２の裏側のハウジング２３内に発光基板２６の装着空間を形成できる程度の間隔がある。
【００２９】
なお、発光基板２６をハウジング２３の後端に取り付ける場合には、仕切り板２２の後端はハウジング２３の後端と略一致させてもよい。ハウジング２３にはその長側壁部３３の内側、又は外側等の所定箇所に発光基板２６用の取り付け部３７が設けられ、その取り付け部３７に発光基板２６が裏側からネジ等により着脱自在に固定されている。
【００３０】
このスロットマシン１では、ゲーム中に例えば遊技者に有利な所定の遊技状態（例えば入賞、レギュラーボーナス、ビッグボーナス等）が発生した場合に、その遊技状態に応じて第１発光表示手段８、第２発光表示手段９の何れか一方又は両方の表示部２０が点滅発光して、遊技者に対してそのときの遊技状態を視覚的に報知又は演出する。
【００３１】
各発光表示手段８，９による表示部２０の発光表示に際しては、発光基板２６の発光素子２５が点灯し、その光が発光室２４を経て表示パネル２１の表示部２０に裏側から照射することにより、その表示部２０が発光素子２５の点灯に同期して発光する。
【００３２】
そして、例えば第２発光表示手段９において、上下の隣り合う表示部２０が異なるタイミングで発光する場合でも、発光室２４は仕切り板２２により区画されているため、一方の発光素子２５からの光によって他方の表示部２０が発光するようなことはなく、各表示部２０を対応する発光素子２５からの光により確実に発光させることができる。
【００３３】
また各発光表示手段８，９は表示パネル２１の表示部２０の数、配置が異なり、それに伴って発光室２４の構成も異なっているが、両者の共通部品であるハウジング２３を使用しているため、各発光表示手段８，９を安価に製作することができる。
【００３４】
各発光表示手段８，９の製作に際しては、例えば第２発光表示手段９の場合には、表示パネル２１の表示部２０が上下方向に略等間隔に６個あるため、図４、図８に示すように５個の仕切り板２２が付いたままのハウジング２３を使用する。
【００３５】
また第１発光表示手段８の場合には、表示パネル２１の表示部２０が上下方向に略等間隔に３個あるため、５個の仕切り板２２の内、図３、図９に示すように上側から１個目、３個目及び５個目の仕切り板２２を除去して、ハウジング２３内の各表示部２０に対応して３個の発光室２４を形成する。
【００３６】
仕切り板２２を除去する場合には、その仕切り板２２の両端の破壊部３５を刃物で切り取るか、ペンチ等の工具で仕切り板２２を把持して外力を加えて破壊部３５を折る等により、破壊部３５をその破壊位置３５ａ（図６参照）で破壊すればよい。破壊部３５は仕切り板２２に比較して薄肉状になっているため容易に破壊することができる。
【００３７】
そして、３個の仕切り板２２が除去され３個の発光室２４が形成されたハウジング２３を使用して、３個の表示部２０を有する表示パネル２１と、３個の発光素子２５が装着された発光基板２６とを組み合わせて第１発光表示手段８を製作する。
【００３８】
このようにハウジング２３側に所定数の仕切り板２２を一体に備えておき、各発光表示手段８，９の表示パネル２１の表示部２０の数、配列に応じてその一部の仕切り板２２を除去して使用することにより、仕切り板２２を備えた１種類のハウジング２３を用いながら複数種類の発光表示手段８，９の製作に対応できる。このためハウジングとは別に複数種類の仕切り板を準備する必要がある従来のものに比較して部品点数を大幅に削減できる。
【００３９】
しかも不要な仕切り板２２はその両端の破壊部３５を破壊位置３５ａで破壊してハウジング２３から取り外せばよいから、仕切り板２２の取り外し作業も容易に行うことができる。従って、全体として発光表示手段の製作コストも従来に比較して低減できる。また破壊部３５を破壊して仕切り板２２を除去した場合、図３、図９に示すようにハウジング２３内に破壊部３５の破壊跡３５ｂが残るが、破壊部３５自体が長側壁部３３に近接しており、破壊跡３５ｂは長側壁部３３から若干突出する程度であって、その破壊跡３５ｂが第１発光表示手段８の組立て、発光素子２５による表示部２０の発光表示の障害となるようなことはない。
【００４０】
図１０は本発明の第２の実施例を例示する。この実施例では、表示パネル２１はカバー２９により構成されている。カバー２９は光透過性を有し、その前面に表示部２０が形成され、この表示部２０を除くカバー２９の前面に金属メッキその他により遮光層４０が形成されている。カバー２９の裏面には、光透過性を有し且つ発光素子２５からの光を拡散する拡散板４１が設けられ、この拡散板４１を通して表示部２０が発光するようになっている。
【００４１】
このように表示部２０を有する表示パネル２１はカバー２９で構成することも可能である。従って、表示パネル２１はハウジング２３から独立したものであればよい。
【００４２】
なお、表示部２０自体が光の乱反射等で発光するものであれば、拡散板４１を省略してもよい。またカバー２９とは別に表示パネル２１を設けてもよい。その場合、表示パネル２１はハウジング２３の前面に装着して、発光表示手段９をパネル枠２８等に固定する際に、ハウジング２３と表示パネル２１とを一体に取り扱い得るようにしてもよい。
【００４３】
図１１は本発明の第３の実施例を例示する。図１１（ａ）では破壊部３５に対応して仕切り板２２の板厚方向の両側にＶ字状の切り込み部３５ｃが形成され、また図１１（ｂ）では破壊部３５に対応して仕切り板２２の板厚方向の片側にＶ字状の切り込み部３５ｃが形成されている。破壊部３５は、第１の実施例のように薄板状に形成する他、この図１１（ａ）（ｂ）に示すようにその両側に切り込み部３５ｃを形成して薄肉状にしたものでもよい。
【００４４】
図１２は本発明の第４の実施例を例示する。この実施例の破壊部３５は、切り欠き部３５ｄによって仕切り板２２の幅よりも短くなっている。即ち、破壊部３５は薄肉状に形成され、その長手方向の両端側に切り欠き部３５ｄが形成されている。
【００４５】
このように破壊部３５の両側に切り欠き部３５ｄを設けることによって、破壊部３５を更に容易に破壊することができる。また仕切り板２２を除去しない箇所では、長側壁部３３と仕切り板２２との間に切り欠き部３５ｄに相当する隙間ができるが、その切り欠き部３５ｄが長側壁部３３の近傍で表示部２０から外れているため、発光素子２５により表示部２０を発光させる上でその隙間が問題となることはない。
【００４６】
図１３、図１４は本発明の第５の実施例を例示する。この実施例の破壊部３５は、仕切り板２２の板厚と略同程度か若干薄い程度であり、その両側に形成された深いスリット５５によって仕切り板２２の幅方向の寸法よりも短くなっている。
【００４７】
このようにスリット５５等によって仕切り板２２の幅方向の破壊部３５の寸法を小さくしておけば、図１４に示すように仕切り板２２の幅方向の端縁側に破壊部３５廻りにＸ矢示方向の外力を加えることにより、破壊部３５を支点として仕切り板２２が回動して破壊部３５をねじ切ることができ、破壊部３５の破壊による仕切り板２２の除去が更に容易になる。
【００４８】
図１５は本発明の第６の実施例を例示する。仕切り板２２には、これを長手方向に二分割するための分割部４２が形成されている。このように仕切り板２２の長手方向の中間部（例えば略中央等）に分割部４２があれば、分割部４２を鋏等の刃物４３で切断して仕切り板２２を長手方向に二分割した後、その各分割片２２ａを二点鎖線で示すようにＹ矢示方向に往復揺動させることによって、破壊部３５を容易に破壊できる。
【００４９】
勿論、仕切り板２２の中間に分割部４２がない場合でも、一方の破壊部３５を破壊した後に他方の破壊部３５を支点として仕切り板２２を往復揺動させることによって、その他方の破壊部３５を破壊することも可能であるが、仕切り板２２を２個の分割片２２ａに分けることによって、分割片２２ａ相互の干渉等がなく分割片２２ａを容易に揺動させることができ、破壊部３５の破壊が容易になる。
【００５０】
図１６〜図１８は本発明の第７の実施例を例示する。この実施例では、ハウジング２３内に、複数個の仕切り板２２が縦横に交差状に配置されている。例えば、ハウジング２３の略中央に連結部４４が配置され、この連結部４４と上下、左右の各側壁部３３，３４との間に各仕切り板２２が配置されている。そして、各仕切り板２２は、その両端の破壊部３５を介して対応する各側壁部３３，３４と連結部４４とに連結されている。連結部４４は仕切り板２２の交差方向側の破壊部３５の厚さよりも太い丸棒状、角棒状等の棒状に構成されている。
【００５１】
なお、表示パネル２１には縦長状の表示部２０が縦横に４個配置されている。ハウジング２３内は４個の仕切り板２２により、各表示部２０に対応する４個の発光室２４が形成され、また発光基板２６には各表示部２０に対応して各表示部２０毎に複数個の発光素子２５が縦長状に配置されている。
【００５２】
この場合にも、４個の仕切り板２２を除去せずにそのまま使うか、又はその４個の仕切り板２２の何れか一部又は全部を除去することにより、表示部２０の数、配列の異なる場合にも、ハウジング２３を共通部品として用いることができる。
【００５３】
なお、ハウジング２３内に連結部４４を複数個設け、その複数個の連結部４４相互間及び連結部４４と側壁部３３，３４間を破壊部３５を介して連結するように複数個の仕切り板２２を設けてもよい。
【００５４】
図１９は本発明の第８の実施例を例示する。この実施例のハウジング２３は、図１９（ａ）に示すように、両端の破壊部３５を介して一対の長側壁部３３に連結された仕切り板２２が設けられると共に、この仕切り板２２から外れた位置に、破壊部３５を破壊して取り外した仕切り板２２の両端部を差込み可能な差込み部４６が長側壁部３３の内面に相対向して設けられている。
【００５５】
この場合には、図１９（ｂ）示すように表示パネル２１側の表示部２０に対応して仕切り板２２を除去してもよいし、また破壊部３５を破壊してハウジング２３から取り外した仕切り板２２を図１９（ｃ）に示すように差込み部４６に差し込むことにより、表示パネル２１側の表示部２０に対応して別の発光室２４を構成できる。従って、仕切り板２２の数を少なくしながら、多種類の表示部２０の配列等に容易に対応できる。
【００５６】
図２０（ａ）（ｂ）は本発明の第９の実施例を例示する。このハウジング２３は、長側壁部３３間に中間壁部４７が設けられ、この中間壁部４７と各長側壁部３３との間に略平行に複数個の仕切り板２２が設けられている。このように中間壁部４７によりハウジング２３内を区画する場合にも、その両側に１個又は複数個の仕切り板２２を予め配置しておくことにより、表示部２０の数、配列に応じてその仕切り板２２を選択的に除去して使用することが可能である。
【００５７】
図２１〜図２５は本発明の第１０の実施例を例示する。スロットマシン１の前面パネル３には、図２１に示すように第１表示窓５の左右両側にスピーカ７付き発光表示手段４８が、第２表示窓６の左右両側には発光表示手段９が夫々略対称に設けられている。上下の各発光表示手段９，４８には、図２５に示すような構造の共通のハウジング２３が使用されている。
【００５８】
発光表示手段９のカバー２９には、図２２に示すように前側に突出する境界部４９の内側に内向き表示パネル２１ａが、外側に外向き表示パネル２１ｂが夫々設けられている。各表示パネル２１ａには上下方向に複数個の表示部２０が設けられ、その裏側に各表示部２０に対応して発光室２４、発光素子２５が設けられている。
【００５９】
スピーカ７付き発光表示手段４８のカバー２９は、発光表示手段９のカバー２９と略同形状であるが、図２４に示すように前側に突出する境界部４９の内側にスピーカ取り付けパネル２１ｃが、外側に外向き表示パネル２１ｂが夫々設けられ、そのスピーカ取り付けパネル２１ｃの裏側にスピーカ７が装着され、また外向き表示パネル２１ｂに発光表示手段９側と同様に上下方向に複数個の表示部２０が設けられ、その裏側に各表示部２０に対応して発光室２４、発光素子２５が設けられている。
【００６０】
ハウジング２３は、図２５に示すように上下一対の短側壁部３４がカバー２９に対応した山形状に構成されると共に、左右一対のの長側壁部３３間に境界部４９に対応する中間壁部４７が設けられている。中間壁部４７と各長側壁部３３との間に上下方向に複数個の仕切り板２２が破壊部３５を介して設けられており、表示部２０、スピーカ７に対応して一部の仕切り板２２が除去され、表示部２０に対応する発光室２４、スピーカ７に対応するスピーカ収容室５０が形成されている。
【００６１】
ハウジング２３を発光表示手段９に使用する場合には、図２３に示すように中間壁部４７と長側壁部３３との間の複数個の仕切り板２２の内、各表示部２０に対応する仕切り板２２を除去して発光室２４を形成する。
【００６２】
またスピーカ７付き発光表示手段４８に使用する場合には、中間壁部４７と長側壁部３３との間の複数個の仕切り板２２の内、各表示部２０に対応する仕切り板２２を除去して発光室２４を形成すると共に、スピーカ７に対応する仕切り板２２を除去してその部分にスピーカ収容室５０を形成する。
【００６３】
このように発光表示手段９とスピーカ７付き発光表示手段４８との間でもハウジング２３を共通部品として使用することが可能である。即ち、スピーカ７付き発光表示手段４８のように、カバー２９の一部にスピーカ７等の付属部品が配置される付属部品付き発光表示手段の場合にも、共通部品であるハウジング２３の仕切り板２２の内、その付属部品に対応する箇所の仕切り板２２を除去して、ハウジング２３内に付属部品収納室を構成するようにしてもよく、これによってハウジング２３の共通化を更に拡大することができる。
【００６４】
図２７〜図２９は本発明の第１１の実施例を例示する。図２７（ａ）〜（ｃ）のハウジング２３は、外周壁部５１内の略中央に中間支持壁部５２を有し、この中間支持壁部５２の両側に内外方向に複数個の仕切り板２２が所定間隔をおいて配置されている。図２７（ａ）の外周壁部５１は長壁部３３と短壁部３４とを備えた矩形状であり、中仕切り板２２は外周壁部５１に沿って略コ字状に形成されている。図２７（ｂ）の外周壁部５１は長円状であり、仕切り板２２は外周壁部５１に沿って略半長円状に形成されている。図２７（ｃ）の外周壁部５１は円状であり、仕切り板２２と外周壁部５１に沿って略半円状に形成されている。そして、これらの各仕切り板２２は中間支持壁部５２の両側に両端の破壊部３５を介して略対称に連結されている。
【００６５】
中間支持壁部５２は図２８に実線で示すようにハウジング２３内をその両側の発光室２４に区画するものでもよいし、図２８の二点鎖線及び図２９に示すように隣り合う仕切り板２２間及び外周壁部５１とその裏側の仕切り板２２との間に前端から後側に凹入する連通用切り欠き部５４を備え、その連通用切り欠き部５４を介して中間支持壁部５２の両側に連続状に発光室２４を形成するものでもよい。なお、図２８の中間支持壁部５２には外周壁部５１及び仕切り板２２の破壊部３５に対応して突出部５６が設けられている。
【００６６】
ハウジング２３の前側に配置される表示パネル２１が平坦状の場合には、中間支持壁部５２、仕切り板２２の前後両端は略一致しており、破壊部３５は仕切り板２２の前部側に設けられ、その後側には仕切り板２２と中間支持壁部５２との間にスリット５５が設けられている。このスリット５５は中間支持壁部５２、仕切り板２２の板厚よりも薄いことが望ましい。なお、最内側の仕切り板２２の内側では、中間支持壁部５２を省略してもよい。
【００６７】
この場合にも、各実施例と同様に中間支持壁部５２の両側の仕切り板２２を適宜除去することにより、表示パネル２１の表示部２０の数、配列に応じた発光室２４を任意に形成することができる。従って、仕切り板２２を外周壁部５１の相対向する側壁部３３，３４間に設けなくても所定のハウジング２３を構成することができる。また中央の発光室２４の外周に環状の発光室２４を設けることも可能である。
【００６８】
更に中間支持壁部５２が図２９のように連通用切り欠き部５４を備えたものであれば、その連通用切り欠き部５４を介して中間支持壁部５２の両側の発光室２４が連続する連続状の発光室２４を形成できるため、中間支持壁部５２の両側に跨がって表示部２０が配置される場合でも、中間支持壁部５２が発光素子２５から表示部２０に照射する光を遮光する可能性を極力少なくすることができる。また中間支持壁部５２は破壊部３５側では仕切り板２２の前端まで突出する突出部５６があるため、この突出部５６によって仕切り板２２を確実に支持できる。
【００６９】
図３０は本発明の第１２の実施例を例示する。この実施例の仕切り板２２は、図３０（ａ）に示すように長手方向の両側に破壊部３５を備えている。仕切り板２２は長い中央部２２ｂと、この中央部２２ｂよりも短い端部２２ｃとを有し、その中央部２２ｂと端部２２ｃとの間に破壊部３５が設けられている。他の構成は第１又は第２の実施例と同様である。
【００７０】
仕切り板２２は通常ハウジング２３内をその両側の発光室２４に区画している。しかし、この両側の発光室２４を連通状に変更する場合には、仕切り板２２の両側の破壊部３５を破壊して中央部２２ｂを除去する。この場合には、図３０（ｂ）に示すように仕切り板２２の一部を除去するため、その除去部分の両側に端部２２ｃが残ることになる。しかし、発光基板２６側の発光素子２５の配置によっては端部２２ｃが障害にならないような場合もあるので、そのような場合には必ずしも仕切り板２２の略全てを除去する必要はない。
【００７１】
図３１は本発明の第１３の実施例を例示する。この実施例の仕切り板２２は、その長手方向の一端側の破壊部３５を介してハウジング２３の一方の側壁部３３と一体に設けられている。仕切り板２２の他端側は隙間５７を介して他方の側壁部３３に近接している。なお、隣り合う仕切り板２２では、破壊部３５、隙間５７は反対側に配置することが望ましい。また破壊部３５は仕切り板２２の長手方向の中間部でもよい。他の構成は第１又は第２の実施例と同様である。
【００７２】
仕切り板２２の両側の発光室２４相互で隙間５７を介して多少の光の漏れがあっても問題とならないような表示部２０の配置、又は発光室２４相互で隙間５７を介して光が漏れないか漏れにくい発光素子２５の配置の場合には、このように仕切り板２２と側壁部３３との間に隙間５７を設けてもよい。従って、この場合には１個の破壊部３５を破壊すれば、仕切り板２２をハウジング２３から除去できるので、仕切り板２２を容易に除去することができる。
【００７３】
図３２は本発明の第１４の実施例を例示する。図３２（ａ）の実施例では、仕切り板２２の略中央側に１個の破壊部３５が設けられ、両端側が折り曲げ部５８を介して各側壁部３３と一体に形成されている。この実施例ではハウジング２３内には仕切り板２２の両側に発光室２４があるが、この両発光室２４を連通状にして発光室２４の構成を変更する際には、破壊部３５を破壊してその両側の分割片５９に分割した後、各分割片５９を折り曲げ部５８で側壁部３３に沿って折り曲げて戻らないように発光基板２６で止める。
【００７４】
図３２（ｂ）の実施例では、図３２（ａ）と同様に仕切り板２２の略中央側に１個の破壊部３５が、両端側に折り曲げ部５８が夫々設けられる他、各側壁部３３の内面には仕切り板２２の分割片５９を係止する係止爪等の係止手段６０が設けられている。この実施例では、仕切り板２２の両側の発光室２４を連通状にして発光室２４の構成を変更する際には、破壊部３５を破壊してその両側の分割片５９に分割した後、各分割片５９を折り曲げ部５８で側壁部３３に沿って折り曲げて係止手段６０により戻らないように係止する。
【００７５】
このように仕切り板２２を破壊部３５で破壊した後、その両側の分割片５９を折り曲げ部５８で折り曲げて側壁部３３に沿った状態で保持するようにしてもよい。従って、必ずしも仕切り板２２の全部又は一部をハウジング２３から完全に除去しなくても、ハウジング２３内の発光室２４の構成を変更することが可能である。
【００７６】
なお、図３２（ｂ）の場合、仕切り板２２の折り曲げ部５８間に２個の破壊部３５を設ければ、その破壊部３５間で仕切り板２２の一部を除去することも可能である。この場合には分割片５９の長さが短くなるため、ハウジング２３内の仕切り板２２相互の間隔が短い場合に便利である。また各分割片５９に長手方向に１個又は複数個の折り曲げ部を設けて、その折り曲げ部で分割片５９をＶ字状又はジグザグ状に折り曲げた状態で側壁部３３に沿って保持するようにしてもよい。
以上、本発明の各実施例について詳述したが、本発明はこの各実施例に限定されるものではなく、本発明の趣旨を逸脱しない範囲で種々の変更が可能である。例えば、実施例では、スロットマシンについて例示しているが、スロットマシン以外の遊技機、例えばパチンコ機等の弾球遊技機でも同様に実施可能である。また発光表示手段は遊技状態の演出用の他、ゲームに必要な情報を遊技者に対して報知するための発光表示手段でも同様に実施可能である。
【００７７】
ハウジング２３内の仕切り板２２は１個でもよいし、複数個でもよい。ハウジング２３内に複数個の仕切り板２２を設ける場合には、１個の仕切り板２２に対して１個又は複数個の仕切り板２２がその中間部分でＴ状又は十字状に交差するように組み合わせてもよい。
【００７８】
発光基板２６に装着された発光素子２５はハウジング２３の内部、取り分け発光室２４内に収まるように配置するのが望ましいが、発光素子２５からの光りの外部への漏れが問題とならないような場合等には、発光素子２５をハウジング２３の後端よりも後方に配置してもよい。
【００７９】
発光室（区画室）２４相互は完全に区画されている必要はなく、表示部２０が隣の他の発光室（区画室）２４からの光の影響を受けない程度に各発光室（区画室）２４を区画できておれば、その一部が連通状であっても十分である。従って、この意味からすれば、発光室２４は区画室と定義することも可能である。
【００８０】
またハウジング２３内に上下方向、又は左右方向に複数個の仕切り板２２を所定間隔で配置する場合に、各仕切り板２２を略平行に配置してもよいし、一部又は全てを非平行に配置してもよい。仕切り板２２は直線状でもよいし、必要に応じて円弧状、ジグザグ状等に湾曲又は屈曲してもよい。更に仕切り板２２自体がＹ字状、Ｔ字状、十字状等であってもよい。
【図面の簡単な説明】
【００８１】
【図１】本発明の第１の実施例を示すスロットマシンの斜視図である。
【図２】同第２発光表示手段の平面断面図である。
【図３】同第１発光表示手段のハウジング等の斜視図である。
【図４】同第２発光表示手段のハウジング等の斜視図である。
【図５】同ハウジングの背面図である。
【図６】同ハウジングの平面断面図である。
【図７】同ハウジングの正面断面図である。
【図８】同第２発光表示手段の分解断面図である。
【図９】同第１発光表示手段の分解断面図である。
【図１０】本発明の第２の実施例を示す第２発光表示手段の平面断面図である。
【図１１】（ａ）（ｂ）は本発明の第３の実施例を示すハウジングの要部の正面断面図である。
【図１２】本発明の第４の実施例を示すハウジングの要部の平面断面図である。
【図１３】本発明の第５の実施例を示すハウジングの平面断面図である。
【図１４】同ハウジングの要部の斜視図である。
【図１５】本発明の第６の実施例を示すハウジングの正面断面図である。
【図１６】本発明の第７の実施例を示す第２発光表示手段の平面断面図である。
【図１７】同側面断面図である。
【図１８】同ハウジングの正面図である。
【図１９】（ａ）〜（ｃ）は本発明の第８の実施例を示すハウジングの正面図である。
【図２０】本発明の第９の実施例を示し、（ａ）はハウジングの正面図、（ｂ）は断面図である。
【図２１】本発明の第１０の実施例を示すスロットマシンの斜視図である。
【図２２】同発光表示手段の平面断面図である。
【図２３】同ハウジングの正面図である。
【図２４】同発光表示手段の平面断面図である。
【図２５】同ハウジングの正面図である。
【図２６】同ハウジングの斜視図である。
【図２７】（ａ）〜（ｃ）は本発明の第１１の実施例を示すハウジングの正面図である。
【図２８】同要部の斜視図である。
【図２９】同要部の断面図である。
【図３０】（ａ）（ｂ）は本発明の第１２の実施例を示すハウジングの正面断面図である。
【図３１】本発明の第１２の実施例を示すハウジングの正面断面図である。
【図３２】（ａ）（ｂ）は本発明の第１３の実施例を示すハウジングの正面断面図である。
【符号の説明】
【００８２】
７  スピーカ（付属部品）
２０  表示部
２１  表示パネル
２２  仕切り板
２３  ハウジング
２４  発光室
２５  発光素子
３３  側壁部
３５  破壊部
４４  連結部
５０  スピーカ収容室（付属部品収容室）
【図１】
2010063703.tif 000003
【図２】
2010063703.tif 000004
【図３】
2010063703.tif 000005
【図４】
2010063703.tif 000006
【図５】
2010063703.tif 000007
【図６】
2010063703.tif 000008
【図７】
2010063703.tif 000009
【図８】
2010063703.tif 000010
【図９】
2010063703.tif 000011
【図１０】
2010063703.tif 000012
【図１１】
2010063703.tif 000013
【図１２】
2010063703.tif 000014
【図１３】
2010063703.tif 000015
【図１４】
2010063703.tif 000016
【図１５】
2010063703.tif 000017
【図１６】
2010063703.tif 000018
【図１７】
2010063703.tif 000019
【図１８】
2010063703.tif 000020
【図１９】
2010063703.tif 000021
【図２０】
2010063703.tif 000022
【図２１】
2010063703.tif 000023
【図２２】
2010063703.tif 000024
【図２３】
2010063703.tif 000025
【図２４】
2010063703.tif 000026
【図２５】
2010063703.tif 000027
【図２６】
2010063703.tif 000028
【図２７】
2010063703.tif 000029
【図２８】
2010063703.tif 000030
【図２９】
2010063703.tif 000031
【図３０】
2010063703.tif 000032
【図３１】
2010063703.tif 000033
【図３２】
2010063703.tif 000034